(57)【要約】  空気調和機（１）は、気流が熱交換器（４）を通過する第一風路（５）、気流が熱交換器（４）を通過しない第二風路（６）、弁（７）および送風口（１０）を有する送風部（３）を複数と、弁（７）を制御する空調機制御部と、を備える。空調機制御部は、送風部（３）のそれぞれにおいて弁（７）を移動させることにより、送風口（１０）から送り出される気流における第一風路（５）を通過する気流と第二風路（６）を通過する気流との混合比を調整する。
2017199446.tif 000002
【特許請求の範囲】
【請求項１】
気流が熱交換器を通過する第一風路、気流が前記熱交換器を通過しない第二風路、弁および送風口を有する送風部を複数と、
前記弁を制御する空調機制御部と、
を備え、
前記空調機制御部は、前記送風部のそれぞれにおいて前記弁を移動させることにより、前記送風口から送り出される気流における前記第一風路を通過する気流と前記第二風路を通過する気流との混合比を調整する
ことを特徴とする空気調和機。
【請求項２】
前記弁は、前記第一風路および前記第二風路の合流部に設けられている
ことを特徴とする請求項１に記載の空気調和機。
【請求項３】
前記第一風路および前記第二風路のそれぞれが前記弁を備え、
前記空調機制御部は、前記第一風路および前記第二風路それぞれの前記弁の位置を独立して調整することが可能である
ことを特徴とする請求項１に記載の空気調和機。
【請求項４】
前記第一風路は第一ヒータを備え、
前記第二風路は第二ヒータを備え、
前記空調機制御部は、前記第一ヒータおよび前記第二ヒータをそれぞれ独立して制御することが可能である
ことを特徴とする請求項１に記載の空気調和機。
【請求項５】
前記送風部ごとに送受信部を備え、
前記空調機制御部は、リモートコントローラから送信された信号を受信した前記送受信部に対応した前記送風部の運転条件を変更する
ことを特徴とする請求項１から４のいずれか１項に記載の空気調和機。
【請求項６】
加速度センサの情報から現在の位置を算出するワイヤレスリモートコントローラを備え、
前記空調機制御部は、前記現在の位置の方向に気流を送ることが可能な前記送風部の運転条件を変更する
ことを特徴とする請求項１から４のいずれか１項に記載の空気調和機。
【発明の詳細な説明】
【技術分野】
【０００１】
本発明は、送風口毎に異なる温度および風量の気流を送り出す機能を搭載した空気調和機に関する。
【背景技術】
【０００２】
１つの部屋に複数の空気調和機が設置されている場合、各空気調和機を異なる設定とすることにより、部屋の各場所を異なる環境に調整することが可能である。これに対して、空気調和機が１つである場合は、特定の送風口の風向板を独立して操作するために、操作する送風口を容易に特定するための手法が提案されている（例えば、特許文献１参照）。
【先行技術文献】
【特許文献】
【０００３】
【特許文献１】特開２０１３−１１３４６９号公報
【発明の概要】
【発明が解決しようとする課題】
【０００４】
会社の事務所の様に広い部屋に多くの人がいる場合、各個人の好みまたは体感温度の差により場所毎に異なる環境が求められる。この場合、部屋に複数の空気調和機が設置されていれば、各空気調和機の設定を変更することで各空気調和機の周囲を異なる環境とすることが可能である。【０００５】
これに対して、小規模の事務所のように中規模の部屋に天井埋め込み形などの空気調和機が１台だけ設置されている場合、従来の空気調和機においては、送風口毎のベーンの角度により気流の方向を変更する程度の調整しかできなかった。【０００６】
本発明は、上記に鑑みてなされたものであって、１台で場所毎に異なる複数の環境を実現することが可能な空気調和機を得ることを目的とする。
【課題を解決するための手段】
【０００７】
上述した課題を解決し、目的を達成するために、本発明は、気流が熱交換器を通過する第一風路、気流が熱交換器を通過しない第二風路、弁および送風口を有する送風部を複数と、弁を制御する空調機制御部と、を備える。空調機制御部は、送風部のそれぞれにおいて弁を移動させることにより、送風口から送り出される気流における第一風路を通過する気流と第二風路を通過する気流との混合比を調整することを特徴とする。
【発明の効果】
【０００８】
本発明に係る空気調和機は、１台で場所毎に異なる複数の環境を実現することが可能になるという効果を奏する。
【図面の簡単な説明】
【０００９】
【図１】本発明の実施の形態１にかかる空気調和機を側方から観た図
【図２】実施の形態１にかかる空気調和機を下方から観た図
【図３】実施の形態１にかかる空気調和機の構成を示すブロック図
【図４】実施の形態１にかかる空気調和機の設定変更の動作を示すフローチャート
【図５】本発明の実施の形態２にかかる空気調和機を側方から観た部分図
【図６】実施の形態２にかかる空気調和機の設定変更の動作を示すフローチャート
【図７】本発明の実施の形態３にかかる空気調和機を側方から観た部分図
【図８】実施の形態３にかかる空気調和機の設定変更の動作を示すフローチャート
【図９】本発明の実施の形態４にかかる空気調和機を下方から観た図
【図１０】実施の形態４にかかるワイヤレスリモートコントローラの構成を示すブロック図
【図１１】実施の形態４にかかる空気調和機の設定変更の動作を示すフローチャート
【図１２】本発明の実施の形態５にかかるワイヤレスリモートコントローラの構成を示すブロック図
【図１３】実施の形態５にかかるワイヤレスリモートコントローラの動作を示すフローチャート
【図１４】実施の形態１から５における制御にかかる構成要素を専用のハードウェアで構成する場合の例を示す図
【図１５】実施の形態１から５における制御にかかる構成要素をコンピュータで実現する場合のハードウェア構成を示す図
【発明を実施するための形態】
【００１０】
以下に、本発明の実施の形態に係る空気調和機を図面に基づいて詳細に説明する。なお、この実施の形態によりこの発明が限定されるものではない。
【００１１】
実施の形態１．
図１は、本発明の実施の形態１にかかる空気調和機１を側方から観た図である。図２は、実施の形態１にかかる空気調和機１を下方から観た図である。空気調和機１は、室内機であって、空気を吸い込むための吸気部２と、空気を送り出すための送風部３と、パネル８と、を備える。送風部３は、空気を加熱または冷却するための熱交換器４と、送り出す気流を導くための風路Ａ５および風路Ｂ６と、送り出す気流の量を調整する弁７と、を備える。パネル８は、空気を吸い込むための吸気部２の下方に配置される吸気口９と、空気を送り出すための送風部３の下方に配置される送風口１０と、送り出す空気の気流の方向を調整するためのベーン１１と、を備える。なお、送風部３、送風口１０およびベーン１１の組は、下方から観て吸気部２を取り囲むように４組備えられている。ただし、このような構成は一例であり、送風部３、送風口１０およびベーン１１の組が複数設けられていればかまわない。
【００１２】
次に、図１および図２を用いて実施の形態１にかかる空気調和機１の基本的な動作を説明する。
【００１３】
まず、室内の空気は、吸気部２により吸気口９を通して空気調和機１に取り込まれる。熱交換器４は第一風路である風路Ａ５に設けられており、取り込まれた空気の一部は熱交換器４を通過する時に加熱または冷却されて風路Ａ５に流入する。また、風路Ａ５に流入しない残りの空気はそのままの温度で第二風路である風路Ｂ６に流入する。風路Ａ５および風路Ｂ６の出口には弁７が備えられている。すなわち、弁７は、風路Ａ５および風路Ｂ６の合流部に設けられている。弁７は、風路Ａ５の出口側と風路Ｂ６の出口側との間を移動し、これにより風路Ａ５および風路Ｂ６それぞれの開口面積が変化する。したがって、風路Ａ５および風路Ｂ６の気流は、弁７により各々の風量が調整されて送り出され、送風口１０へ向かう。すなわち、後述する空調機制御部２４が各送風部３のそれぞれにおいて弁７を移動させることにより、送風口１０から送り出される気流における風路Ａ５を通過する気流と風路Ｂ６を通過する気流との混合比を調整することができる。そして、ベーン１１の角度により風向が調整されて送風口１０から送り出される。熱交換器４、風路Ａ５、風路Ｂ６および弁７は、４つの送風部３の全てに設けられているが、図１の左側の送風部３においては、熱交換器４、風路Ａ５、風路Ｂ６および弁７の記載は省いてある。そして、４つの弁７の位置およびベーン１１の角度は、独立して設定することができる。
【００１４】
図３は、実施の形態１にかかる空気調和機１の構成を示すブロック図である。空気調和機１は、後述するリモートコントローラと信号の授受を行なうための送受信処理部２２と、設定情報などを記憶しておくための記憶装置２３と、空気調和機１の動作を制御するための空調機制御部２４と、空調機各装置２５と、を備える。空調機各装置２５は、熱交換器４、弁７およびベーン１１といった各部を纏めた名称である。空調機各装置２５の動作は空調機制御部２４により制御される。
【００１５】
図４は、実施の形態１にかかる空気調和機１の設定変更の動作を示すフローチャートである。図４を用いて、暖房中の設定温度を変更する場合の空気調和機１の設定変更の動作を説明する。
【００１６】
最初に、ユーザーはリモートコントローラなどを介して、温度を変更したいベーン１１を空調機制御部２４に指定し（ステップＳ１０１）、設定温度の変更を指示する（ステップＳ１０２）。次に、指定されたベーン１１の送風部３の変更された設定温度を受け付けた空調機制御部２４は、変更された設定温度と変更前の設定温度とを比較し、変更された設定温度が変更前の設定温度より低いか否かを判定する（ステップＳ１０３）。
【００１７】
変更された設定温度が変更前の設定温度より低いと判定した場合（ステップＳ１０３：Ｙｅｓ）、空調機制御部２４は、指定されたベーン１１の送風部３の弁７を風路Ａ５の出口側へ移動させる（ステップＳ１０４）。弁７を風路Ａ５の出口側へ移動させるとは、風路Ｂ６の出口の開口を広げて、風路Ａ５の出口の開口を狭めるように弁７を移動させることである。ステップＳ１０４の移動により、風路Ａ５の開口面積は小さくなり、風路Ｂ６の開口面積は大きくなる。ところで風路Ａ５には熱交換器４で加熱された空気、風路Ｂ６には吸気部２により取り込まれた空気がそのまま流れている。したがって、弁７により風量が調整されて送風口１０へ送り出される気流は風路Ａ５からの加熱された空気が少なくなり、結果として送風口１０からは、設定温度の変更前に比べて温度が低下した気流が送り出される。ステップＳ１０４の後、設定変更の動作は終了する。
【００１８】
変更された設定温度が変更前の設定温度より高いと判定した場合（ステップＳ１０３：Ｎｏ）、空調機制御部２４は、指定されたベーン１１の送風部３の弁７を風路Ｂ６の出口側へ移動させることが可能か否か判断する（ステップＳ１０５）。弁７を風路Ｂ６の出口側へ移動させるとは、風路Ａ５の出口の開口を広げて、風路Ｂ６の出口の開口を狭めるように弁７を移動させることである。弁７を風路Ｂ６の出口側へ移動させることが可能と判断した場合（ステップＳ１０５：Ｙｅｓ）、空調機制御部２４は、弁７を風路Ｂ６の出口側へ移動させる（ステップＳ１０６）。ステップＳ１０６の移動により、風路Ａ５の開口面積は大きくなり、風路Ｂ６の開口面積は小さくなる。したがって、風路Ａ５を流れる加熱された空気が多く送り出されるようになるため、結果として送風口１０からは設定温度の変更前に比べて温度が高められた気流が送り出される。ステップＳ１０６の後、設定変更の動作は終了する。
【００１９】
なお、以前の設定により弁７が風路Ｂ６の出口側の方向へ限界まで移動している場合、ステップＳ１０５において、空調機制御部２４は、弁７を風路Ｂ６の出口側へ移動させることが可能ではないと判断し（ステップＳ１０５：Ｎｏ）、風路Ａ５の開口面積を設定温度の変更前に比べて大きくすることができず、ステップＳ１０７へ進む。
【００２０】
ステップＳ１０７において、空調機制御部２４は空気調和機１の暖房能力を上げる。これにより、送風口１０から送り出される気流の温度を高めることができる。ただし、ステップＳ１０７で暖房能力を上げることによりステップＳ１０１において指定されていないベーン１１の送風口１０から送り出される気流の温度も高められてしまう。そこで、ステップＳ１０１において指定されていないベーン１１の送風部３においては、空調機制御部２４が弁７を風路Ａ５の出口側へ移動させる（ステップＳ１０８）。これにより、指定されていないベーン１１の送風口１０から送り出される気流の温度を下げることができるので、指定されていないベーン１１の送風口１０から送り出される気流の設定温度を維持することが可能となる。ステップＳ１０８の後、設定変更の動作は終了する。
【００２１】
実施の形態１にかかる空気調和機１においては、送り出す気流の方向を送風口１０毎にベーン１１により調整できると共に、以上説明したように、送り出す気流の設定温度を送風口１０毎に独立して変更することができるので、１台の空気調和機により場所毎に異なる複数の環境を実現することが可能となる。
【００２２】
実施の形態２．
実施の形態１にかかる空気調和機１においては、図１に示したように送風部３に備えた１個の弁７により風路Ａ５および風路Ｂ６の開口面積を調整しているが、実施の形態２にかかる空気調和機１においては、風路Ａ５および風路Ｂ６の風路毎に専用の弁を備える構成とした。
【００２３】
図５は、本発明の実施の形態２にかかる空気調和機１を側方から観た部分図である。実施の形態２にかかる空気調和機１においては、図１の弁７に変えて、風路Ａ５に弁１２を、風路Ｂ６に弁１３を、それぞれ備えるが、それ以外の構成は実施の形態１と同様である。弁１２および弁１３は、４つの送風部３それぞれに設けられている。
【００２４】
次に、図５を用いて実施の形態２にかかる空気調和機１の基本的な動作を説明する。
【００２５】
空気調和機１の吸気部２により吸気口９を通して吸い込まれた空気が風路Ａ５および風路Ｂ６へ流入するところまでは、実施の形態１と同様であるが、風路Ａ５の風量は弁１２にて、風路Ｂ６の風量は弁１３にて各々調整されて気流が送風口１０へ送り出される。そしてベーン１１の角度により気流の風向が調整されて送風口１０から送り出される。なお送風部３毎に各々設けられている４つの弁１２の位置、４つの弁１３の位置および４つのベーン１１の角度は、それぞれ独立して空調機制御部２４により調整することができる。
【００２６】
図６は、実施の形態２にかかる空気調和機１の設定変更の動作を示すフローチャートである。図６を用いて、暖房中の設定温度および設定風量を変更する場合の空気調和機１の設定変更の動作を説明する。
【００２７】
最初に、ユーザーはリモートコントローラなどを介して、設定を変更したいベーン１１を空調機制御部２４に指定し（ステップＳ２０１）、設定温度の変更を指示し（ステップＳ２０２）、設定風量の変更を指示する（ステップＳ２０３）。なお、必ずしも設定温度および設定風量の両方とも変更する必要はなく、ステップＳ２０２またはステップＳ２０３のいずれかのステップを省いて一方のみ変更を指示するのでもかまわない。
【００２８】
次に、空調機制御部２４は、ステップＳ２０２で新たに設定された設定温度に対応する空気調和機１の暖房能力およびステップＳ２０３で新たに設定された設定風量に対応する吸気部２の空気の吸い込み量を求める（ステップＳ２０４）。
【００２９】
そして、ステップＳ２０３で新たに設定された設定風量に対応する吸気部２の空気の吸い込み量に基づいて、空調機制御部２４は現在の吸い込み量を変更する必要があるか否かを判断する（ステップＳ２０５）。吸い込み量を変更する必要があると判断した場合（ステップＳ２０５：Ｙｅｓ）、空調機制御部２４は、吸気部２の空気の吸い込み量を適切な量に変更する（ステップＳ２０６）。空調機制御部２４が吸い込み量を変更する必要がないと判断した場合（ステップＳ２０５：Ｎｏ）およびステップＳ２０６の後は、ステップＳ２０７に進む。
【００３０】
空調機制御部２４は、ステップＳ２０２で新たに設定された設定温度に対応する空気調和機１の暖房能力に基づいて、現在の暖房能力を変更する必要があるか否かを判断する（ステップＳ２０７）。暖房能力を変更する必要があると判断した場合（ステップＳ２０７：Ｙｅｓ）、空調機制御部２４は、空気調和機１を適切な暖房能力となるように変更する（ステップＳ２０８）。空調機制御部２４が暖房能力を変更する必要がないと判断した場合（ステップＳ２０７：Ｎｏ）およびステップＳ２０８の後は、ステップＳ２０９に進む。
【００３１】
そして、指定されたベーン１１の送風部３の弁１２および弁１３それぞれの位置を設定された設定温度および設定風量となるように空調機制御部２４が調整する（ステップＳ２０９）。その後、ステップＳ２１０においては、吸い込み量の変更（ステップＳ２０６）を実行したかまたは暖房能力の変更（ステップＳ２０８）を実行したか、或はいずれも実行していないかを空調機制御部２４が判定する。吸い込み量の変更（ステップＳ２０６）を実行したかまたは暖房能力の変更（ステップＳ２０８）を実行した場合（ステップＳ２１０：Ｙｅｓ）、ステップＳ２０１において指定されていないベーン１１の送風口１０から送り出される気流の温度および風量がそのままでは変化してしまうため、変化しないように指定以外のベーン１１の送風部３の弁１２および弁１３それぞれの位置を調整する（ステップＳ２１１）。吸い込み量の変更（ステップＳ２０６）および暖房能力の変更（ステップＳ２０８）のいずれも実行していない場合（ステップＳ２１０：Ｎｏ）、およびステップＳ２１１の後、設定変更の動作は終了する。
【００３２】
以上のように、実施の形態２にかかる空気調和機１によれば、送り出す気流の設定温度に加えて、設定風量についても送風口１０毎に独立して変更することができるので、実施の形態１にかかる空気調和機１よりさらに広い範囲での調整が可能となる。
【００３３】
実施の形態３．
実施の形態１にかかる空気調和機１の送風部３は、図１に示したように取り込まれた空気に熱交換器４を通過させる風路Ａ５と取り込まれた空気をそのまま流す風路Ｂ６とを備えているが、実施の形態３にかかる空気調和機１の送風部３は、風路Ａ５および風路Ｂ６の各風路がそれぞれヒータを備える。
【００３４】
図７は、本発明の実施の形態３にかかる空気調和機１を側方から観た部分図である。実施の形態３にかかる空気調和機１は、実施の形態１にかかる空気調和機１の構成に加えて、風路Ａ５が第一ヒータであるヒータＡ１４を、風路Ｂ６が第二ヒータであるヒータＢ１５を、それぞれ備えるが、それ以外の構成は実施の形態１と同様である。ヒータＡ１４およびヒータＢ１５は、４つの送風部３それぞれに設けられている。
【００３５】
次に、図７を用いて実施の形態３にかかる空気調和機１の基本的な動作を説明する。
【００３６】
空気調和機１の吸気部２により吸気口９を通して吸い込まれた空気が風路Ａ５および風路Ｂ６に流入するところまでは実施の形態１と同様であるが、風路Ａ５の気流はヒータＡ１４により加熱することができ、風路Ｂ６の気流はヒータＢ１５により加熱することができる。なお送風部３毎に各々設けられているヒータＡ１４およびヒータＢ１５は、それぞれ独立して空調機制御部２４により制御することができる。
【００３７】
図８は、実施の形態３にかかる空気調和機１の設定変更の動作を示すフローチャートである。図８を用いて、暖房中の設定温度を変更する場合の空気調和機１の設定変更の動作を説明する。
【００３８】
最初に、ユーザーはリモートコントローラなどを介して、温度を変更したいベーン１１を空調機制御部２４に指定し（ステップＳ３０１）、設定温度の変更を指示する（ステップＳ３０２）。次に、指定されたベーン１１の送風部３の変更された設定温度を受け付けた空調機制御部２４は、変更された設定温度と変更前の設定温度とを比較し、変更された設定温度が変更前の設定温度より低いか否かを判定する（ステップＳ３０３）。
【００３９】
変更された設定温度が変更前の設定温度より低いと判定した場合（ステップＳ３０３：Ｙｅｓ）、空調機制御部２４は、指定されたベーン１１の送風部３の弁７を風路Ａ５の出口側へ移動させる（ステップＳ３０４）。ステップＳ３０４の動作は、実施の形態１のステップＳ１０４と同じである。ステップＳ３０４の後、設定変更の動作は終了する。
【００４０】
変更された設定温度が変更前の設定温度より高いと判定した場合（ステップＳ３０３：Ｎｏ）、空調機制御部２４は、吸い込んでいる空気の温度と変更された設定温度とを比較し、両者の温度差を求める。そして、空調機制御部２４は、この温度差が予め定めた第一閾値以上であるか否かを判定する（ステップＳ３０５）。温度差が第一閾値未満であると判定された場合（ステップＳ３０５：Ｎｏ）、ステップＳ３０９に進む。ステップＳ３０９の動作は図４のステップＳ１０５と同じであり、ステップＳ３１０の動作は図４のステップＳ１０６と同じであり、ステップＳ３１１の動作は図４のステップＳ１０７と同じであり、ステップＳ３１２の動作は図４のステップＳ１０８と同じである。従って、ステップＳ３０９以降の動作は、実施の形態１において変更された設定温度が変更前の設定温度より高いと判定した場合（ステップＳ１０３：Ｎｏ）の動作と同一になる。
【００４１】
温度差が第一閾値以上であると判定された場合（ステップＳ３０５：Ｙｅｓ）、空調機制御部２４は、風路Ａ５に備えられたヒータＡ１４を作動させる（ステップＳ３０６）。続いて、空調機制御部２４は、温度差が予め定めた第二閾値以上であるか否かを判定する（ステップＳ３０７）。なお、第二閾値は第一閾値より大きな値となるように定める。
【００４２】
温度差が第二閾値未満であると判定された場合（ステップＳ３０７：Ｎｏ）、ステップＳ３０９に進み、それ以降の動作は、実施の形態１において変更された設定温度が変更前の設定温度より高いと判定した場合（ステップＳ１０３：Ｎｏ）の動作と同一になる。
【００４３】
温度差が第二閾値以上であると判定された場合（ステップＳ３０７：Ｙｅｓ）、空調機制御部２４は、風路Ｂ６に備えられたヒータＢ１５を作動させる（ステップＳ３０８）。ステップＳ３０８の後は、ステップＳ３０９に進み、それ以降の動作は、実施の形態１において変更された設定温度が変更前の設定温度より高いと判定した場合（ステップＳ１０３：Ｎｏ）の動作と同一になる。
【００４４】
以上説明したように、実施の形態３にかかる空気調和機１によれば、送風部３に設けられたそれぞれの風路にヒータを追加して気流を加熱する能力を向上させたので、ベーン１１毎の設定温度の差が大きい場合でも、送風口１０から送り出される気流の温度を新たな設定温度に追従させることが可能となる。
【００４５】
実施の形態４．
実施の形態１から３にかかる空気調和機１においては、ベーン１１毎に設定温度、設定風量および風向を設定することが可能であるため、設定を変更するベーン１１を指定する必要がある。実施の形態４にかかる空気調和機２１においてはワイヤレスリモートコントローラの存在する方向に基づいて、設定変更するベーンを決定する。
【００４６】
図９は、本発明の実施の形態４にかかる空気調和機２１を下方から観た図である。実施の形態４にかかる空気調和機２１には、実施の形態１から３にかかる空気調和機１のパネル８に変えて、パネル２６が取り付けられている。パネル２６は、４つのベーン２７Ａ，２７Ｂ，２７Ｃおよび２７Ｄと、ベーン２７Ａ，２７Ｂ，２７Ｃおよび２７Ｄそれぞれに対応する送受信部２８Ａ，２８Ｂ，２８Ｃおよび２８Ｄを備える。送受信部２８Ａ，２８Ｂ，２８Ｃおよび２８Ｄは、例えば、それぞれが別個の赤外線受光ユニットで構成される。ただし、実施の形態４にかかる空気調和機２１における吸気部２および送風部３といった部分の構成は、実施の形態１から３にかかる空気調和機１と同様である。したがって、送受信部２８Ａ，２８Ｂ，２８Ｃおよび２８Ｄは、ベーン２７Ａ，２７Ｂ，２７Ｃおよび２７Ｄそれぞれに対応する送風部３ごとに設けられていることになる。
【００４７】
空気調和機２１には、空気調和機２１を操作するためのワイヤレスリモートコントローラ２９が付属している。ワイヤレスリモートコントローラ２９の具体例は、赤外線ワイヤレスリモートコントローラである。図１０は、実施の形態４にかかるワイヤレスリモートコントローラ２９の構成を示すブロック図である。
【００４８】
実施の形態４にかかる空気調和機２１の構成は、図３に示された空気調和機１の構成と同じである。送受信処理部２２はワイヤレスリモートコントローラ２９と信号の授受を行なう。
【００４９】
図１０に示すワイヤレスリモートコントローラ２９は、設定対象を指定するためのボタンの集合である指定ボタン群３０と、動作を設定するためのボタンの集合である設定ボタン群３１と、空気調和機２１と信号の授受を行なうための送受信部３２と、設定内容などの情報を表示するための表示部３３と、処理回路３４と、を備える。なお、指定ボタン群３０は、設定内容を空気調和機２１に要求するための設定要求ボタン、ベーンの設定が完了したことを知らせるためのベーン設定完了ボタン、および空気調和機全体の設定が完了したことを知らせるための空気調和機設定完了ボタンも備えている。
【００５０】
図１１は、実施の形態４にかかる空気調和機２１の設定変更の動作を示すフローチャートである。図１１を用いて、空気調和機２１の設定変更の動作を説明する。ここでは、一例として、ワイヤレスリモートコントローラ２９がベーン２７Ａの方向に存在する場合について説明する。
【００５１】
まず、ワイヤレスリモートコントローラ２９の指定ボタン群３０の設定要求ボタンをユーザーが押下すると、押下を受け付けた処理回路３４は、送受信部３２を介して空気調和機２１へ設定情報の要求を送信する（ステップＳ４０１）。
【００５２】
送信された信号は、空気調和機２１の送受信部２８Ａで受信されて送受信処理部２２へ入力される。送受信処理部２２は、ワイヤレスリモートコントローラ２９からの信号が受信されたのが送受信部２８Ａであることを確認する（ステップＳ４０２）。送受信処理部２２は、その上で、受信内容および受信方向の情報を空調機制御部２４へ送る。受信方向の情報とは、送受信部２８Ａ，２８Ｂ，２８Ｃおよび２８Ｄのいずれで信号が受信されたかについての情報である。
【００５３】
空調機制御部２４は、ワイヤレスリモートコントローラ２９からの信号が受信されたのが送受信部２８Ａであるとの情報に基づいて、送受信部２８Ａに対応するベーン２７Ａの送風部３の設定情報を記憶装置２３から読み出し、送受信処理部２２へ送る（ステップＳ４０３）。
【００５４】
設定情報を受け取った送受信処理部２２は、送受信部２８Ａからワイヤレスリモートコントローラ２９へ設定情報を送信する（ステップＳ４０４）。
【００５５】
ステップＳ４０４で送信された設定情報はワイヤレスリモートコントローラ２９の送受信部３２で受信され、処理回路３４により表示部３３へ表示される（ステップＳ４０５）。
【００５６】
そして、表示部３３へ表示された現在の設定内容に基づいて、ユーザーは設定ボタン群３１を使用して設定を変更する（ステップＳ４０６）。
【００５７】
ステップＳ４０６における設定の変更が完了したら、ユーザーは、指定ボタン群３０のベーン設定完了ボタンまたは空気調和機設定完了ボタンを押下する。ユーザーは、ステップＳ４０６における設定の変更が特定のベーンについての場合はベーン設定完了ボタン押下し、ステップＳ４０６における設定の変更が全てのベーンについての場合は空気調和機設定完了ボタンを押下する。処理回路３４は、押下されたボタンから設定対象を判断し、設定対象の種類および設定内容を送受信部３２から空気調和機２１へ送信する（ステップＳ４０７）。
【００５８】
ステップＳ４０７で送信された信号は、送受信部２８Ａで受信されて送受信処理部２２へ入力され、送受信処理部２２は、ワイヤレスリモートコントローラ２９からの信号が受信されたのが送受信部２８Ａであることを確認する（ステップＳ４０８）。送受信処理部２２は、その上で、受信内容と受信方向の情報を空調機制御部２４へ送る。
【００５９】
空調機制御部２４は、受信内容に基づいて設定対象が特定のベーンなのかあるいは空気調和機２１全体なのかを確認する（ステップＳ４０９）。設定対象が特定のベーンの場合は、受信方向の情報に基づき、送受信部２８Ａに対応するベーン２７Ａの送風部３の設定情報として記憶装置２３へ変更された設定内容を書き込む。この結果、空調機制御部２４は、ワイヤレスリモートコントローラ２９からの信号を受信した送受信部２８Ａに対応する送風部３の運転条件を変更することができる。また、設定対象が空気調和機２１全体の場合は、全てのベーンの設定情報として記憶装置２３へ変更された設定内容を書き込む。この場合は、空調機制御部２４は、全ての送風部３の運転条件を変更する。
【００６０】
そして、記憶装置２３の変更された設定内容に基づいて、空調機制御部２４は空調機各装置２５を制御する（ステップＳ４１０）。
【００６１】
以上説明したように、実施の形態４にかかる空気調和機２１においては、ワイヤレスリモートコントローラ２９からの信号を受信した送受信部に基づいてワイヤレスリモートコントローラ２９が存在する方向を特定して、特定した方向に基づいて設定を変更するベーンを決定する。これにより、ユーザーによるベーンの指定が不要となる。また、ベーンの設定情報を空気調和機２１の側で記憶しているので、同時に複数のワイヤレスリモートコントローラを使用しても設定情報の差異がワイヤレスリモートコントローラ毎に発生しないようにすることができる。
【００６２】
実施の形態５．
実施の形態４にかかる空気調和機２１においては、ワイヤレスリモートコントローラが存在する方向を複数の送受信部を備えた空気調和機２１の側で検出している。実施の形態５にかかる空気調和機１はワイヤレスリモートコントローラを備え、ワイヤレスリモートコントローラの側で自らの位置を特定する。実施の形態５にかかる空気調和機１の本体は、実施の形態１から３にかかる空気調和機１と同様である。
【００６３】
図１２は、本発明の実施の形態５にかかるワイヤレスリモートコントローラ３５の構成を示すブロック図である。実施の形態５にかかる空気調和機１はワイヤレスリモートコントローラ３５を備える。ワイヤレスリモートコントローラ３５は、加速度センサ３６と、加速度センサ３６の情報から現在位置を算出する演算装置３７と、演算装置３７の計算結果を記憶する記憶装置３８と、その他の機能を有するワイヤレスリモートコントローラ回路部３９と、を備える。ワイヤレスリモートコントローラ３５の具体例は、赤外線ワイヤレスリモートコントローラである。
【００６４】
図１３は、実施の形態５にかかるワイヤレスリモートコントローラ３５の動作を示すフローチャートである。図１３により、ワイヤレスリモートコントローラ３５の動作を説明する。
【００６５】
まず、使用開始時に、空気調和機１の真下でワイヤレスリモートコントローラ３５の位置を初期化する（ステップＳ５０１）。ワイヤレスリモートコントローラ３５の位置を初期化するとは、具体的には、ワイヤレスリモートコントローラ３５が備えるボタンをユーザーが押下するなどして、当該動作を受け付けた演算装置３７が、記憶装置３８に現在の位置を記録することである。
【００６６】
演算装置３７は、加速度センサ３６から移動量を取得する（ステップＳ５０２）。
【００６７】
演算装置３７は、ステップＳ５０２で取得した移動量に基づいて、移動を検出したか否か判定する（ステップＳ５０３）。移動を検出しなかった場合（ステップＳ５０３：Ｎｏ）、演算装置３７は、加速度センサ３６から移動量を再び取得する（ステップＳ５０２）。
【００６８】
移動を検出した場合（ステップＳ５０３：Ｙｅｓ）、演算装置３７は、ワイヤレスリモートコントローラ３５の直前の位置を記憶装置３８から読み出す（ステップＳ５０４）。
【００６９】
そして、演算装置３７は、ステップＳ５０４で記憶装置３８から読み出したワイヤレスリモートコントローラ３５の直前の位置と、加速度センサ３６から取得した移動量と、に基づいてワイヤレスリモートコントローラ３５の最新の位置を算出する（ステップＳ５０５）。
【００７０】
そして、演算装置３７は、ステップＳ５０５で算出したワイヤレスリモートコントローラ３５の最新の位置を記憶装置３８に記録する（ステップＳ５０６）。その後、ワイヤレスリモートコントローラ回路部３９は、必要に応じて記憶装置３８からワイヤレスリモートコントローラ３５の現在の位置の情報を読み出して、空気調和機１へ送信する。
【００７１】
その後、ワイヤレスリモートコントローラ３５からの運転条件の変更の指示を受け取った空気調和機１の空調機制御部２４は、ワイヤレスリモートコントローラ３５の現在の位置の方向に気流を送ることが可能な送風部３の運転条件を変更することができる。すなわち、空調機制御部２４は、上記のようにして受け取ったワイヤレスリモートコントローラ３５の現在の位置の情報に基づいて、ワイヤレスリモートコントローラ３５の現在の位置の方向に気流を送ることが可能な送風部３の運転条件を変更することができる。
【００７２】
以上説明したように、実施の形態５にかかるワイヤレスリモートコントローラ３５によれば、加速度センサ３６を利用して空気調和機１に対するワイヤレスリモートコントローラ３５の位置を特定することができる。これにより、空気調和機１は、ユーザーによる指定が無くても、設定変更するベーン１１を容易に決定することができる。すなわち、実施の形態５にかかる空気調和機１においては、ユーザーによる指定無しに設定変更するベーン１１を決定するために、実施の形態４にかかる空気調和機２１のように送受信部２８Ａ，２８Ｂ，２８Ｃおよび２８Ｄを追加して設ける必要がない。
【００７３】
図１４は、実施の形態１から５における制御にかかる構成要素を専用のハードウェアで構成する場合の例を示す図である。実施の形態１から５における空調機制御部２４、実施の形態４における処理回路３４、実施の形態５における演算装置３７およびワイヤレスリモートコントローラ回路部３９のそれぞれは、図１４に示すように専用のハードウェアである処理回路５０で構成される。処理回路５０は、単一回路、複合回路、プログラム化したプロセッサー、並列プログラム化したプロセッサー、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、またはこれらを組み合わせたものが該当する。実施の形態１から５における空調機制御部２４、実施の形態４における処理回路３４、実施の形態５における演算装置３７およびワイヤレスリモートコントローラ回路部３９それぞれの複数の機能それぞれを別々の処理回路５０で実現してもよい。また、実施の形態５にかかる演算装置３７およびワイヤレスリモートコントローラ回路部３９はまとめて一つの処理回路５０で実現してもよい。
【００７４】
図１５は、実施の形態１から５における制御にかかる構成要素をコンピュータで実現する場合のハードウェア構成を示す図である。この場合、実施の形態１から５における空調機制御部２４および実施の形態５における演算装置３７は、空気調和機１，２１およびワイヤレスリモートコントローラ３５のそれぞれに設けられた図１５に示すようなＣＰＵ（Ｃｅｎｔｒａｌ  Ｐｒｏｃｅｓｓｉｎｇ  Ｕｎｉｔ）５１により実現される。実施の形態１から５における記憶装置２３および実施の形態５における記憶装置３８のそれぞれは、空気調和機１，２１およびワイヤレスリモートコントローラ３５のそれぞれに設けられた図１５に示すようなメモリ５２により実現される。すなわち、実施の形態１から５における空調機制御部２４および実施の形態５における演算装置３７の機能は、ソフトウェア、ファームウェア、またはソフトウェアとファームウェアとの組み合わせにより実現される。ソフトウェアまたはファームウェアはプログラムとして記述され、メモリ５２に格納される。ＣＰＵ５１は、メモリ５２に記憶されたプログラムを読み出して実行することにより、各部の機能を実現する。すなわち、実施の形態１から５における空調機制御部２４および実施の形態５における演算装置３７は、各部の機能がコンピュータにより実行されるときに、実施の形態１から５における空調機制御部２４および実施の形態５における演算装置３７の動作を実施するステップが結果的に実行されることになるプログラムを格納するためのメモリ５２を備える。また、これらのプログラムは、実施の形態１から５における空調機制御部２４および実施の形態５における演算装置３７の手順または方法をコンピュータに実行させるものであるともいえる。
【００７５】
ここで、メモリ５２とは、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリー、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）といった不揮発性または揮発性の半導体メモリ、磁気ディスク、フレキシブルディスク、光ディスク、コンパクトディスク、ミニディスク、ＤＶＤ（Ｄｉｇｉｔａｌ  Ｖｅｒｓａｔｉｌｅ  Ｄｉｓｋ）が該当する。
【００７６】
また、実施の形態１から５における制御にかかる構成要素の各機能について、一部を専用のハードウェアで実現し、一部をソフトウェアまたはファームウェアで実現するようにしてもよい。このように実施の形態１から５における制御にかかる構成要素は、ハードウェア、ソフトウェア、ファームウェア、またはこれらの組み合わせによって、上述した各機能を実現することができる。
【００７７】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７８】
１，２１  空気調和機、２  吸気部、３  送風部、４  熱交換器、５  風路Ａ、６  風路Ｂ、７，１２，１３  弁、８，２６  パネル、９  吸気口、１０  送風口、１１，２７Ａ，２７Ｂ，２７Ｃ，２７Ｄ  ベーン、１４  ヒータＡ、１５  ヒータＢ、２２  送受信処理部、２３，３８  記憶装置、２４  空調機制御部、２５  空調機各装置、２８Ａ，２８Ｂ，２８Ｃ，２８Ｄ  送受信部、２９，３５  ワイヤレスリモートコントローラ、３０  指定ボタン群、３１  設定ボタン群、３２  送受信部、３３  表示部、３４  処理回路、３６  加速度センサ、３７  演算装置、３９  ワイヤレスリモートコントローラ回路部。
【図１】
2017199446.tif 000003
【図２】
2017199446.tif 000004
【図３】
2017199446.tif 000005
【図４】
2017199446.tif 000006
【図５】
2017199446.tif 000007
【図６】
2017199446.tif 000008
【図７】
2017199446.tif 000009
【図８】
2017199446.tif 000010
【図９】
2017199446.tif 000011
【図１０】
2017199446.tif 000012
【図１１】
2017199446.tif 000013
【図１２】
2017199446.tif 000014
【図１３】
2017199446.tif 000015
【図１４】
2017199446.tif 000016
【図１５】
2017199446.tif 000017
【手続補正書】
【提出日】平成30年5月9日(2018.5.9)
【手続補正１】
【補正対象書類名】特許請求の範囲
【補正対象項目名】全文
【補正方法】変更
【補正の内容】
【特許請求の範囲】
【請求項１】
気流が熱交換器を通過する第一風路、気流が前記熱交換器を通過しない第二風路、弁および送風口を有する送風部を複数と、
前記弁を制御する空調機制御部と、
を備え、
前記空調機制御部は、指定された前記送風部が送り出す気流が設定温度および設定風量となり、指定されていない前記送風部が送り出す気流の温度および風量が変化しないように、前記弁の位置を制御することにより、前記送風口から送り出される気流における前記第一風路を通過する気流と前記第二風路を通過する気流との混合比を調整する
ことを特徴とする空気調和機。
【請求項２】
気流が熱交換器を通過する第一風路、気流が前記熱交換器を通過しない第二風路、弁および送風口を有する送風部を複数と、
前記弁を制御する空調機制御部と、
を備え、
前記第一風路は第一ヒータを備え、
前記第二風路は第二ヒータを備え、
前記空調機制御部は、前記送風部のそれぞれにおいて前記弁を移動させることにより、前記送風口から送り出される気流における前記第一風路を通過する気流と前記第二風路を通過する気流との混合比を調整し、前記第一ヒータおよび前記第二ヒータをそれぞれ独立して制御することが可能である
ことを特徴とする空気調和機。
【請求項３】
気流が熱交換器を通過する第一風路、気流が前記熱交換器を通過しない第二風路、弁および送風口を有する送風部を複数と、
前記弁を制御する空調機制御部と、
を備え、
前記送風部ごとに送受信部を備え、
前記空調機制御部は、前記送風部のそれぞれにおいて前記弁を移動させることにより、前記送風口から送り出される気流における前記第一風路を通過する気流と前記第二風路を通過する気流との混合比を調整し、リモートコントローラから送信された信号を受信した前記送受信部に対応した前記送風部の運転条件を変更する
ことを特徴とする空気調和機。
【請求項４】
気流が熱交換器を通過する第一風路、気流が前記熱交換器を通過しない第二風路、弁および送風口を有する送風部を複数と、
前記弁を制御する空調機制御部と、
加速度センサの情報から現在の位置を算出するワイヤレスリモートコントローラと、
を備え、
前記空調機制御部は、前記送風部のそれぞれにおいて前記弁を移動させることにより、前記送風口から送り出される気流における前記第一風路を通過する気流と前記第二風路を通過する気流との混合比を調整し、前記現在の位置の方向に気流を送ることが可能な前記送風部の運転条件を変更する
ことを特徴とする空気調和機。
【請求項５】
前記弁は、前記第一風路および前記第二風路の合流部に設けられている
ことを特徴とする請求項１から４のいずれか１項に記載の空気調和機。
【請求項６】
前記第一風路および前記第二風路のそれぞれが前記弁を備え、
前記空調機制御部は、前記第一風路および前記第二風路それぞれの前記弁の位置を独立して調整することが可能である
ことを特徴とする請求項１から４のいずれか１項に記載の空気調和機。
【国際調査報告】
2017199446.tif 000018
2017199446.tif 000019
2017199446.tif 000020
2017199446.tif 000021